(57)【要約】【課題】書類・冊子類が綴じ孔を開けることなくファイルに簡単に綴じられかつ無用に抜け落ちることもなく、しかも、使い勝手が極めて良い書類・冊子類の取付補助具を提供する。【解決手段】ファイル７の背表紙部８ｃの内面８ｃｉに沿って取着された綴じ具９の綴じ込み用リング１１が挿通される複数の綴じ孔３を有する綴じ代片部１と、該綴じ代片部１に連接され書類・冊子類６の表表紙６ａの外面６ａｏ又は裏表紙６ｂの外面６ｂｏに接着される取付片部２とからなり、該取付片部２の一側面には接着剤層４を設けると共に該接着剤層４の表面に離型紙５を積層した構成からなる。【選択図】図４
2008023901.tif 000002
【特許請求の範囲】
【請求項１】
ファイルの背表紙部の内面に沿って取着された綴じ具の綴じ込み用リングが挿通される複数の綴じ孔を有する綴じ代片部と、前記綴じ代片部に連接され書類・冊子類の表表紙の外面又は裏表紙の外面に接着される取付片部とからなり、前記取付片部の一側面には接着剤層を設けると共に該接着剤層の表面に離型紙を積層したことを特徴とする書類・冊子類の取付補助具。
【請求項２】
ファイルの背表紙部の内面に沿って取着された綴じ具の綴じ込み用リングが挿通される複数の綴じ孔を有する綴じ代片部と、前記綴じ代片部に連接され書類・冊子類の表表紙の外面及び裏表紙の外面に接着される一対の取付片部とからなり、前記一対の取付片部の対向する両側面にはそれぞれ接着剤層を設けると共に該接着剤層の表面に離型紙を積層したことを特徴とする書類・冊子類の取付補助具。
【発明の詳細な説明】
【技術分野】
【０００１】
本発明は、複数の綴じ込み用リングを有するファイルに既製のノートや商品カタログといった書類、冊子類を綴じる場合に使用される書類・冊子類の取付補助具（以下、単に「取付補助具」という。）に関するものである。
【背景技術】
【０００２】
従来、この種ファイルは、例えば背表紙部の両側縁に表・裏表紙部が設けられており、前記背表紙部の内面に綴じ具が取着されている。該綴じ具には開閉自在な複数の綴じ込み用リングが設けられ、これら閉じ込み用リングをＡ４、Ｂ５といった所定規格の用紙の一側縁部に沿って設けられた綴じ孔に挿通することにより、ファイルとして使用できるようになっている（例えば、特許文献１参照。）。
【０００３】
【特許文献１】特開２００４−１７４３７号公報（第４−７頁、図１）
【発明の開示】
【発明が解決しようとする課題】
【０００４】
ところで、前記特許文献１のようなファイルは、綴じられた用紙に所要の事項を書き込むなどして使用されるが、例えば表・裏表紙部間に他の既製のノートや商品カタログ等の書類・冊子類を挟んだままファイルを持ち歩く場合がある。しかしながら、前記書類・冊子類は単に表・裏表部間に挟むだけなので、屈んだりした拍子などにその隙間から書類・冊子類が抜け落ちるといったことがしばしば有り、その対処に苦慮している。
【０００５】
この点に関し、前記書類・冊子類の綴り側の縁部に沿って綴じ孔を開け、ファイルにおける綴じ具の綴じ込み用リングを該綴じ孔に挿通して使用することも考えられる。しかしながら、この場合、穴あけ装置により書類・冊子類に綴じ孔を開ける作業をしなければならず面倒であり、書類・冊子類にキズが付き易い。また、仮に綴り側に綴じ孔を開けて書類・冊子類を綴じたとしても、各頁を捲ったとき綴り側の端縁まで完全に開くことが難しく、使い勝手が悪いという課題がある。
【０００６】
そこで、本発明は上記課題を解決すべくなされたもので、書類・冊子類が綴じ孔を開けることなくファイルに簡単に綴じられかつ無用に抜け落ちることもなく、しかも、使い勝手が極めて良い取付補助具を提供することを目的とするものである。
【課題を解決するための手段】
【０００７】
かかる目的を達成するため請求項１の取付補助具は、ファイルの背表紙部の内面に沿って取着された綴じ具の綴じ込み用リングが挿通される複数の綴じ孔を有する綴じ代片部と、前記綴じ代片部に連接され書類・冊子類の表表紙の外面又は裏表紙の外面に接着される取付片部とからなり、前記取付片部の一側面には接着剤層を設けると共に該接着剤層の表面に離型紙を積層したことを特徴とする。
【０００８】
また、請求項２の取付補助具は、ファイルの背表紙部の内面に沿って取着された綴じ具の綴じ込み用リングが挿通される複数の綴じ孔を有する綴じ代片部と、前記綴じ代片部に連接され書類・冊子類の表表紙の外面及び裏表紙の外面に接着される一対の取付片部とからなり、前記一対の取付片部の対向する両側面にはそれぞれ接着剤層を設けると共に該接着剤層の表面に離型紙を積層したことを特徴とする。
【発明の効果】
【０００９】
請求項１に係る取付補助具は、離型紙を剥がして取付片部を書類・冊子類の表表紙の外面又は裏表紙の外面に接着剤層を介して接着するのみで、該書類・冊子類をファイルに簡単に綴じることができ、携帯に際してもファイルから書類・冊子類が抜け落ちるといったことがなく、安心して使用できるという効果が有る。また、書類・冊子類は綴じ具に取付補助具を介して綴じられるので、該書類・冊子類はすべて綴り側の端縁まで一杯に開けることができ、使い勝手が良いという効果も有る。
【００１０】
請求項２に係る取付補助具は、前記効果に加え、取付片部を一対設けて該各取付片部を書類・冊子類の表表紙の外面及び裏表紙の外面にそれぞれ接着するようにしたので、書類・冊子類と取付補助具との接合強度が強くなり、破損も少なく長く使用できるという効果がある。
【発明を実施するための最良の形態】
【００１１】
以下、本発明に係る取付補助具の実施の形態を図面に基づき説明する。なお、本発明が適用されるのは、既製のノート等の書類、商品カタログや雑誌等の冊子類であって、糊またはステイプラーにより中綴じすると共に二つ折りした所謂中綴じ方式のものである。また、本発明は第一実施の形態と第二実施の形態とがあり、まず第一実施の形態について説明する。図１乃至図５は第一実施の形態に係り、図１は第一実施の形態に係る取付補助具の斜視図、図２は図１のＷ−Ｗ線拡大断面図である。
【００１２】
取付補助具Ｈ１は、図１に示すように例えば縦寸法Ａ：２００ｍｍ、横寸法Ｂ：５０ｍｍを有する縦長の帯板状をなし、可撓性を有する合成樹脂材、可撓性を有する厚紙、可撓性を有する布地または可撓性を有する金属板が選択される。第一実施の形態にあっては、合成樹脂材として、例えば環境に優しい素材であるポリエチレン樹脂、ポリプロピレン樹脂、ポリエチレンテレフタレート樹脂の複合材料が使用される。
【００１３】
前記取付補助具Ｈ１は、その短手方向の一側に綴じ代片部１が設けられ、他側に該綴じ代片部１に連接され後記する書類・冊子類としてのノート６の表表紙６ａの外面６ａｏ又は裏表紙６ｂの外面６ｂｏに接着される取付片部２が設けられる。
【００１４】
そして、前記綴じ代片部１に、その長手方向に沿って後記するファイル７の背表紙部８ｃの内面８ｃｏに沿って取着された綴じ具９の綴じ込み用リング１１が挿通される複数の綴じ孔３，３…が開設される。通常、ファイル７は綴じ具９に設けられる閉じ込み用リング１１の数が２個、１６個、２２個、３０個といろいろ種類があるので、これらのいずれの閉じ込み用リング１１に対しても挿通されるように綴じ孔３の個数及び間隔が設定される。前記取付片部２には、図２に示すようにその一側面２ａの所定の広さに亘り接着剤層４が設けられると共に該接着剤層４の表面に同じ大きさの離型紙５が積層される。
【００１５】
第一実施の形態に係る取付補助具Ｈ１は上記構成からなり、図３はノート６に取付補助具Ｈ１を取着した状態を示すものである。すなわち、取付片部２の一側面２ａから離型紙５を剥がし、その一側面２ａをノート６の裏表紙６ｂの外面６ｂｏであって綴り側６ｃのほぼ中央部分に前記綴じ代片部１がその端縁６ｄから側方へ突出するようにしてあてがい、ノート６の裏表紙６ｂの外面６ｂｏに接着剤層４を圧接させる。これにより、取付補助具Ｈ１がノート６に接着され一体化する。なお、前記取付片部２の一側面２ａをノート６の表表紙６ａの外面６ａｏ接着するようにしても良い。
【００１６】
次に、該取付補助具Ｈ１が取着されるファイルについて説明する。図４、図５に示すようにファイル７は、背表紙部８ｃと該背表紙部８ｃの両側縁に設けられる表・裏表紙部８ａ，８ｂとからなる表紙部本体８と、前記背表紙部８ｃの内面８ｃｉに取着される綴じ具９と、からなる。該綴じ具９は背表紙部８ｃの内面８ｃｉに沿って固着される台座１０を有し、該台座１０に沿って開閉自在な複数の綴じ込み用リング１１，１１…が設けられている。これら閉じ込み用リング１１は、台座１０の長手方向の両側縁に設けられたレバー１２，１２を同時に摘むことにより容易に開放し、また両レバー１２，１２を元の位置に戻すことにより閉じるようになっている。
【００１７】
このファイル７には、図４、図５に示すようにＡ４、Ｂ５などの所定規格を有し一枚ずつ分離されている複数枚の用紙１３，１３…が綴じられる。図示は省略するが、内部に写真、新聞の切り抜き、書類が入れられる透明な合成樹脂材の袋状シートを綴じるようにしても良く、また、何も綴じないようにしても良い。
【００１８】
そこで、ファイル７を開いた状態で閉じ込み用リング１１を開放し、図３に示した取付補助具Ｈ１を一体に取着したノート６をファイル７の裏表紙部８ｂの上面に乗せ、必要な閉じ込み用リング１１をこれと対応する綴じ代片部１の各綴じ孔３に挿通し、再び閉じ込み用リング１１を閉じる。これにより、図４、図５に示すようにノート６がファイル７に綴じられる。
【００１９】
このように、第一実施の形態の取付捕助具Ｈ１を使用すれば、ノート６等の書類・冊子類が綴じ孔を開けることなくファイル７に簡単に綴じることができ、しかも、ノート６等の書類・冊子類にキズがつくこともなく綺麗な状態で使用できる。また、携帯中に前記ノート６等の書類・冊子類がファイル７から抜け落ちることもなく安全である。更に、取付補助具Ｈ１は離型紙５を剥がして自在に接着するようにしているので、ファイル７に好みの冊子類、例えばタウン情報誌等の雑誌、が取り付けられ便利である。更にまた、ノート６等の書類・冊子類は綴じ具９に取付補助具Ｈ１を介して綴じられるので、図５鎖線に示すようにノート６の各頁を捲ったとき、綴り側６ｃをその端縁６ｄまで完全に開くことができ使い勝手が良い。
【００２０】
次に、第二実施の形態に係る取付補助具について説明する。なお、この実施の形態に使用される書類・冊子類及びファイルは、第一実施の形態で使用される書類・冊子類及びファイルと同一なので、それら同一部位は同一番号を附すことにより詳しい説明は省略する。図６乃至図１０は第二実施の形態に係り、図６は第二実施の形態に係る取付補助具の斜視図、図７は図６のＹ−Ｙ線拡大断面図である。
【００２１】
取付補助具Ｈ２は、図６に示すように例えば縦寸法Ａ：２００ｍｍ、横寸法Ｂ：５０ｍｍを有する縦長の帯板状をなし、可撓性を有する合成樹脂材、可撓性を有する厚紙、可撓性を有する布地または可撓性を有する金属板が選択される。第二実施の形態にあっても、合成樹脂材として、例えば環境に優しい素材であるポリエチレン樹脂、ポリプロピレン樹脂、ポリエチレンテレフタレート樹脂の複合材料が使用される。
【００２２】
前記取付補助具Ｈ２は、その短手方向の一側に綴じ代片部１が設けられ、他側に該綴じ代片部１に連接され書類・冊子類としてのノート６の表表紙６ａの外面６ａｏ及び裏表紙６ｂの外面６ｂｏに接着される一対の取付片部２，２が二股状に設けられる。詳しくは、樹脂板を二つ折りして前記取付補助具Ｈ２の大きさに成形し、綴じ代片部１に相当する部分のみその対向する面に互いに接着剤を塗布して接着させておく。
【００２３】
そして、前記綴じ代片部１に、その長手方向に沿ってファイル７の背表紙部８ｃの内面８ｃｉに沿って取着された綴じ具９の綴じ込み用リング１１が挿通される複数の綴じ孔３，３…が開設される。通常、ファイル７は綴じ具９に設けられる閉じ込み用リング１１の数が２個、１６個、２２個、３０個といろいろ種類があるので、これらのいずれの閉じ込み用リング１１に対しても挿通されるように綴じ孔３の個数及び間隔が設定される。前記一対の取付片部２，２には、図７に示すように対向する両側面２ａ，２ａの所定の広さに亘り接着剤層４，４が設けられると共に該各接着剤層４の表面に同じ大きさの離型紙５が積層される。
【００２４】
第二実施の形態に係る取付補助具Ｈ２は上記構成からなり、図８はノート６に取付補助具Ｈ２を接着した状態を示すものである。すなわち、両取付片部２，２の対向する両側面２ａ，２ａからそれぞれ離型紙５を剥がし、その両側面２ａ，２ａをそれぞれノート６の表表紙６ａの外面６ａｏと裏表紙６ｂの外面６ｂｏであって綴り側６ｃのほぼ中央部分に前記綴じ代片部１がその端縁６ｄから側方へ突出するようにしてあてがい、ノート６の表表紙６ａの外面６ａｏと裏表紙６ｂの外面６ｂｏとにそれぞれ接着剤層４を圧接させる。これにより、取付補助具Ｈ２がノート６に接着され一体化する。
【００２５】
図９、図１０に示すようにファイル７には、Ａ４、Ｂ５などの所定規格を有し一枚ずつ分離されている複数枚の用紙１３，１３…が綴じられる。図示は省略するが、内部に写真、新聞の切り抜き、書類が入れられる透明な合成樹脂材の袋状シートを綴じるようにしても良く、また、何も綴じないようにしても良い。
【００２６】
そこで、ファイル７を開いた状態で閉じ込み用リング１１を開放し、図８に示した取付補助具Ｈ２を一体に取着したノート６をファイル７の裏表紙部８ｂの上面に乗せ、必要な閉じ込み用リング１１をこれと対応する綴じ代片部１の各綴じ孔３に挿通し、再び閉じ込み用リング１１を閉じる。これにより、図９、図１０に示すようにノート６がファイル７に綴じられる。
【００２７】
第二実施の形態の取付捕助具Ｈ２においても、ノート６等の書類・冊子類が綴じ孔を開けることなくファイル７に簡単に綴じることができ、しかも、ノート６等の書類・冊子類にキズがつくこともなく綺麗な状態で使用できる。また、携帯中に前記ノート６等の書類・冊子類がファイル７から抜け落ちることもなく安全である。更に、取付補助具Ｈ２は各離型紙５を剥がして自在に接着するようにしているので、ファイル７に好みの冊子類、例えばタウン情報誌等の雑誌、が取り付けられ便利である。更にまた、ノート６等の書類・冊子類は綴じ具９に取付補助具Ｈ２を介して綴じられるので、図１０鎖線に示すようにノート６の各頁を捲ったとき、綴り側６ｃをその端縁６ｄまで完全に開くことができ使い勝手が良い。
【００２８】
第二実施の形態に係る取付補助具Ｈ２は、特に一対の取付片部２，２をノート６等の書類・冊子類の表表紙６ａの外面６ａｏと裏表紙６ｂの外面６ｂｏとに接着するようにしているので、ノート６等の書類・冊子類と取付補助具Ｈ２との接合強度が強くなり、破損も少なく長く使用できる。
【００２９】
前記第一・第二実施の形態に係る取付補助具Ｈ１，Ｈ２にあっては、取付片部２の一側面を広告媒体として利用することができる。また、取付片部２の形状は、長方形状に限らず、三角形、半円形であっても良く、ニーズに合わせて所望の形状に成形することができる。更には、前記書類・冊子類の大きさ、例えばパンフレットのような小冊子にあっては第一・第二実施の形態に係る取付補助具Ｈ１，Ｈ２を所望の大きさに切断し小さくして使用するようにしても良い。
【図面の簡単な説明】
【００３０】
【図１】第一実施の形態に係る取付補助具の斜視図。
【図２】図１のＷ−Ｗ線拡大断面図。
【図３】第一実施の形態に係る取付補助具を取着したノートの斜視図。
【図４】第一実施の形態に係る取付補助具の使用状態を示す斜視図。
【図５】図４のＸ−Ｘ線拡大断面図。
【図６】第二実施の形態に係る取付補助具の斜視図。
【図７】図６のＹ−Ｙ線拡大断面図。
【図８】第二実施の形態に係る取付補助具を取着したノートの斜視図。
【図９】第二実施の形態に係る取付補助具の使用状態を示す斜視図。
【図１０】図９のＺ−Ｚ線拡大断面図。
【符号の説明】
【００３１】
１                      綴じ代片部
２                      取付片部
３                      綴じ孔
４                      接着剤層
５                      離型紙
６                      書類（ノート）
６ａ                    表表紙
６ａｏ                  外面
６ｂ                    裏表紙
６ｂｏ                  外面
７                      ファイル
８ｃ                    背表紙部
８ｃｉ                  内面
９                      綴じ具
１１                    閉じ込み用リング
Ｈ１                    第一実施の形態に係る取付補助具
Ｈ２                    第二実施の形態に係る取付補助具
【図１】
2008023901.tif 000003
【図２】
2008023901.tif 000004
【図３】
2008023901.tif 000005
【図４】
2008023901.tif 000006
【図５】
2008023901.tif 000007
【図６】
2008023901.tif 000008
【図７】
2008023901.tif 000009
【図８】
2008023901.tif 000010
【図９】
2008023901.tif 000011
【図１０】
2008023901.tif 000012